(57)【特許請求の範囲】
【請求項１】
水平に折丁を積載する折丁供給台を概略水平方向に備え、該供給台の前端部下側に咥爪を有する受渡し胴を備え、該受渡し胴の下側にエンドレス送行する丁合手段を備え、折丁供給台上の折丁を１枚ずつ丁合手段に供給する製本機フィーダー装置において、折丁供給台の上面に、受渡し胴の略接線方向の斜め下方に傾斜する二次曲面による傾斜面を前端部に備えた供給補助板を、その傾斜面の先端を折丁供給台上面前端部に対して揃えた状態で設けてなり、該二次曲面による傾斜面を、ゆるやかな湾曲面とし、前記傾斜面の仰角θが、前記受渡し胴の略接線方向であって１５°〜４５°範囲のうちいずれかであることを特徴とする製本機フィーダー装置。
【請求項２】
水平に折丁を積載する折丁供給台を概略水平方向に備え、該供給台の前端部下側に咥爪を有する受渡し胴を備え、該受渡し胴の下側前後に対向して折丁開放端部を開離する一対の回転体を備え、該回転体の中間下部にエンドレス送行する丁合手段のギャザリングチェーンを備え、折丁供給台上の折丁を１枚ずつ丁合手段に供給する製本機フィーダー装置において、折丁供給台の上面に、受渡し胴の略接線方向の斜め下方に傾斜する二次曲面による傾斜面を前端部に備えた供給補助板を、その傾斜面の先端を折丁供給台上面前端部に対して揃えた状態で設けてなり、該二次曲面による傾斜面を、ゆるやかな湾曲面とし、前記傾斜面の仰角θが、前記受渡し胴の略接線方向であって１５°〜４５°範囲のうちいずれかであることを特徴とする製本機フィーダー装置。
【発明の詳細な説明】
【０００１】
【発明の属する技術分野】
本発明は、製本機の丁合手段に折丁を供給するための製本機フィーダー装置の改良に関する。
【０００２】
【従来の技術】
従来の製本機フィーダー装置は、図５に示すように、折丁供給台１を概略水平方向に備え、該供給台１の前端部と後端部にそれぞれ折丁保持板１ａ、１ｂを備え、折丁保持板１ａの下端部に折丁前端を下側より保持する保持爪１ｃを備え、該供給台１の前端部下側に咥爪６を有する受渡し胴５を備え、該受渡し胴５の下側前後に折丁開放端部を開離する各開離胴７、８（各開離用回転体）を設け、該開離胴の中間下部にエンドレス送行する丁合手段のギャザリングチェーン９を備える。
【０００３】
製本機フィーダー装置の各供給台１上に上下方向に水平に積載（平積み）した折丁ａは、供給台１前端部のフィーダーアーム１１により折丁最下層の折丁ａの折目ｂ側の前端部を下側より吸着して下方に下げられ、受渡し胴５の咥爪６に咥え換えされて、該胴５により回転搬送され、互いに逆方向で同周速度にて回転する下側開離胴７、８間に２つ折り折丁ａの開放端部が入り込んだとき、該開離胴７、８のそれぞれバキューム吸着部１２、１３によって、その２つ折り各々後端部を吸着して、折丁ａの後端部（小口側）を開離し、直ちに吸着動作を停止することによって、送行する丁合手段のギャザリングチェーン９上に掛け載せて供給するものである。なお折丁ａが送行するチェーン９上に掛け載せられる際には、一旦、チェーン９と平行に離間し、その送行方向に向かって対接するブラケット１０上に掛け載せられる。
【０００４】
【発明が解決しようとする課題】
上記製本機フィーダー装置の供給台１上に上下方向に水平に平積みした最下層の折丁ａは、フィーダーアーム１１により折目ｂ側の前端部を下側より吸着された後に斜め下方に下げられ、続いてフィーダーアーム１１から受渡し胴５の咥爪６に咥え換えされて、回転する該受渡し胴５により斜め下方に引っ張られながら回転搬送され、さらに下方に供給される。
【０００５】
このようにして供給される折丁ａは、斜め下方に下げられた際に、供給台１の前端部の角隅部１ｄにて折れ曲がり、さらに斜め下方に引っ張られる際に、上層折丁群の荷重が掛かりながら、折丁面が角隅部１ｄにて擦られるため、供給される折丁ａ面には擦れによる汚損が生じたり、供給時の折丁ａと供給台との境界面及び上層折丁との境界面における滑り性を損ねて、折丁供給適性に悪い影響を及ぼすものであった。
【０００６】
本発明の課題は、上記不都合を解消して、供給される折丁面の擦れによる汚損を防止し、供給時の折丁の滑り性を向上させ、折丁供給適性を向上させることにある。
【０００７】
【課題を解決するための手段】
本発明の請求項１に係る発明は、水平に折丁を積載する折丁供給台を概略水平方向に備え、該供給台の前端部下側に咥爪を有する受渡し胴を備え、該受渡し胴の下側にエンドレス送行する丁合手段を備え、折丁供給台上の折丁を１枚ずつ丁合手段に供給する製本機フィーダー装置において、折丁供給台の上面に、受渡し胴の略接線方向の斜め下方に傾斜する二次曲面による傾斜面を前端部に備えた供給補助板を、その傾斜面の先端を折丁供給台上面前端部に対して揃えた状態に設けてなり、該二次曲面による傾斜面を、ゆるやかな湾曲面とし、前記傾斜面の仰角θが、前記受渡し胴の略接線方向であって１５°〜４５°範囲のうちいずれかであることを特徴とする製本機フィーダー装置である。
【０００８】
本発明の請求項２に係る発明は、水平に折丁を積載する折丁供給台を概略水平方向に備え、該供給台の前端部下側に咥爪を有する受渡し胴を備え、該受渡し胴の下側前後に対向して折丁開放端部を開離する一対の回転体を備え、該回転体の中間下部にエンドレス送行する丁合手段のギャザリングチェーンを備え、折丁供給台上の折丁を１枚ずつ丁合手段に供給する製本機フィーダー装置において、折丁供給台の上面に、受渡し胴の略接線方向の斜め下方に傾斜する二次曲面による傾斜面を前端部に備えた供給補助板を、その傾斜面の先端を折丁供給台上面前端部に対して揃えた状態に設けてなり、該二次曲面による傾斜面を、ゆるやかな湾曲面とし、前記傾斜面の仰角θが、前記受渡し胴の略接線方向であって１５°〜４５°範囲のうちいずれかであることを特徴とする製本機フィーダー装置である。
【００１０】
【発明の実施の形態】
本発明の請求項１に係る発明の製本機フィーダー装置について、図１（ａ）〜（ｂ）の部分側面図、及び図２の部分正面図に従って発明の実施の形態を詳細に説明する。
【００１１】
本発明の製本機フィーダー装置は、中綴じ製本機又は平綴じ製本機に取り付けることができ、製本機本体の一例を以下に説明すれば、製本機フィーダー装置から１枚ずつ供給される複数枚の製本用折丁（中綴じ用折丁又は平綴じ用折丁）をページ順に丁合して本１冊分（１部）ずつ集積する丁合手段と、ページ順に丁合集積された丁合折丁を１冊分（１部）ずつ背部で綴じ合わせる綴じ手段と（丁合手段にて表紙が丁合されない製本方式の場合は、綴じ合わせた後に１冊分ずつ表紙付けする表紙付け手段）を備えている。
【００１２】
なお、本発明の製本機フィーダー装置を、平綴じ製本機に取り付けた場合の説明、及び平綴じ製本における丁合手段、綴じ手段等の説明は省略し、本発明の製本機フィーダー装置を中綴じ製本機に取り付けた場合、及び中綴じ製本における丁合手段、綴じ手段等について以下に詳細に説明する。
【００１３】
本発明の製本機フィーダー装置は、図１（ａ）に示すように丁合手段に取り付けられていて、折丁供給台１を概略水平方向に備え、該供給台１の前端部と後端部に、それぞれ折丁保持板１ａ、１ｂを備え、折丁保持板１ａの下端部に折丁前端を下側より保持する保持爪１ｃを備え、該供給台１の前端部下側に咥爪６を有する受渡し胴５を備える。
【００１４】
中綴じ製本機における製本機フィーダー装置は、前記受渡し胴５の下側前後に折丁開放端部を開離する各開離胴７、８（各開離用回転体）を設け、該開離胴の中間下部にエンドレス送行する丁合手段のギャザリングチェーン９を備える。
【００１５】
なお平綴じ製本機における製本機フィーダー装置は、前記受渡し胴５の下側にエンドレス送行するギャザリングバケット状の丁合手段を備えるが、詳細な説明は省略する。
【００１６】
図１（ａ）に示すように、中綴じ製本における製本機フィーダー装置の各供給台１上に上下方向に水平に積載（平積み）した折丁ａは、供給台１前端部のフィーダーアーム１１により折丁最下層の折丁ａの折目ｂ側の前端部を下側より吸着して下方に下げ、受渡し胴５の咥爪６に咥え換えして、該胴５により搬送し、互いに逆方向で同周速度にて回転する下側開離胴７、８間に２つ折り折丁ａの開放端部が入り込んだとき、該胴のそれぞれバキューム吸着部１２、１３によってその２つ折り各々後端部を吸着して、折丁ａの後端部（小口側）を開離し、直ちに吸着動作を停止することによって、送行する丁合手段のギャザリングチェーン９上に掛け載せするものである。なお、折丁ａが送行するチェーン９上に掛け載せられる際には、一旦、チェーン９と平行に離間し、その送行方向に向かって対接するブラケット１０上に掛け載せられる。
【００１７】
図２に示すように、製本機フィーダー装置の折丁供給台１は、丁合手段のエンドレス送行するギャザリングチェーン９に沿って等間隔に複数配置され、複数の各供給台１（第１供給台、第２供給台、第３供給台・・・・・第ｎ供給台）に、書籍、雑誌などの製本ページを構成する刷本シートを、予め製本丁合前の折り工程にて１回乃至２回以上複数回に亘って順次２つ折り形成して得られた２つ折り折丁ａが、その折丁ａに印刷された印刷情報種類（各種類折丁）の異なるそれぞれ第１折丁、第２折丁、第３折丁・・・第ｎ折丁毎に、水平（平坦）に多数積載（平積み）されている。
【００１８】
この製本機フィーダー装置の各供給台１に積載される折丁ａには、各供給台１毎に異なる画像や文字などによるパターン情報として読み取り可能な情報が印刷表示され、また、その各折丁ａの２つ折目ｂ側（製本綴じ側；製本背側）の供給前端側、又は２つ折目ｂ側と反対側の供給後端側の開放端部ｃ（製本小口側）や、各折丁ａの２つ折目ｂに対して直交する天地端部の一側面には、各折り毎、その折丁ａの外側端部の化粧断裁線より外側のラップ部分の異なる位置に、例えば黒色などの印刷インキにより折丁識別パターンが印刷表示されている。
【００１９】
図１（ａ）、図２に示すように、製本機フィーダー装置を取り付けた丁合手段のエンドレス送行するギャザリングチェーン９には、複数の折丁送り爪９ａが各供給台１の配置間隔に等しい等間隔で一体に取り付けられていて、チェーン９上に掛け載せられた折丁ａは、その送り爪９ａにより搬送方向の後端部を押し送りされて搬送され、１つの送り爪９ａは、先の供給台１で供給されて掛け載せられて搬送される折丁ａ0 を搬送すると同時に、ブラケット１０を通過する際に、次の供給台１で供給されて先の折丁ａ0 の上方よりブラケット１０上に掛け載せられた折丁ａの後端部を、ブラケット１０上をスライドさせながら押し送りして前方に搬送する。なお、ギャザリングチェーン９の側方には、ブラケット１０上に掛け載せられて送り爪９ａによりブラケット１０上を移動する折丁の通過を検出する落丁有無検出手段１４を備えている。
【００２０】
図３に示すように、丁合手段のエンドレス送行するギャザリングチェーン９は一端の駆動回転スプロケット９ｂと他端の回転スプロケット（図示せず）とに巻回してエンドレス回転して送行する。
【００２１】
ギャザリングチェーン９の送行路終端以降には、綴じ手段を備え、該綴じ手段には、丁合を終了した２つ折り丁合折丁の背部（２つ折目ａ）を綴じる綴部３０（針金３１を用いた綴じ形式のホッチキス機構３２又はミシン綴じ形式のミシン縫い機構など）を備える。
【００２２】
綴じ手段の後段には、製本排出手段を備え、綴じられた製本を上向き方向に搬送する搬送ロール４１、上向き搬送ベルト４２、良品本を一方の水平方向（例えば図面手前側の良品排出方向）に、また不良品本を他方の水平方向（図面裏面側のリジエクト方向）にそれぞれ振り分け排出するフリップフロップガイドを備えた水平排出ベルト４３などにより構成される製本排出部４０が配置されている。
【００２３】
綴部３０には、ギャザリングチェーン９の送行路終端から送り爪９ａにより送り出された丁合終了後の２つ折り丁合折丁を受け取り、綴部３０から排出部４０方向に搬送する搬送ガイド板２１と搬送ロール２２、２３に巻回する搬送ベルト２４などにより構成される搬送部２０が設けられ、丁合折丁を搬送ガイド板２１に沿って搬送しながらら綴部３０にて綴じ、各製本機フィーダー装置の丁合手段側に設置された落丁検出手段１４（あるいは落乱丁検出手段など）により検出された落丁（乱丁）発生の無い綴じられた良品本は一方の水平方向に、また落丁（乱丁）発生の有るリジエクトすべき不良品本( 綴じられていない丁合折丁) は他方の水平方向に排出部４０の水平排出ベルト４３によって排出されるようになっている。
【００２４】
本発明の製本機フィーダー装置は、図１（ａ）の全体側面図、及び図１（ｂ）の折丁供給台の部分拡大側面図に示すように、折丁供給台１の上面に概略水平方向に、前端部が前方に向かって下向きに傾斜する傾斜面１５ａを備えた供給補助板１５を一体に又は螺子止めなどにて一体的に設け、傾斜面１５ａは、図示するように２次曲面状の緩やかに湾曲した湾曲面又は平坦面となっている。そして、この供給補助板１５上に、折丁ａがその前端部ｂ（折目：背部）を供給補助板１５の前端部に向けて平積みされる。
【００２５】
供給補助板１５前端部の傾斜面１５ａは、図４（ａ）に示すように、折丁供給台１の前端部１ｄと受渡し胴５の前方上周面とを結ぶ接線Ｌと水平線とにより作る仰角θだけ傾斜していて平坦面となっている。
【００２６】
また図４（ｂ）に示すように、供給補助板１５前端部の傾斜面１５ａは、接線Ｌと水平線とにより作る仰角θだけ傾斜していて２次曲面状の湾曲面となっている。
【００２７】
本発明の製本機フィーダー装置は、図１（ｂ）の部分拡大側面図に示すように折丁ａは、折丁供給台１に取り付けた供給補助板１５上から１部ずつ、供給補助板１５（例えば仰角θが１５°〜４５°範囲のうちいずれかの傾斜面１５ａを備えた補助板）の傾斜面１５ａに沿って移動しながら前方下側に供給される。
【００２８】
本発明の製本機フィーダー装置によって供給される折丁ａは、斜め下方に下げられた際に、傾斜面１５ａに沿って移動するために、急激な折れ曲がりが解消されて緩やかな湾曲面により緩やかに曲がり、さらに斜め下方に引っ張られる際に供給される折丁ａに掛かる上層折丁群の荷重は傾斜面１５ａに沿って分散するため、供給時の折丁ａの下面と、供給補助板１５の傾斜面１５ａとの界面、及び供給時の折丁ａの上面と、その上側の折丁ａの下面との界面における滑り性が良好となり、折丁面が傾斜面１５ａに沿って移動する際の擦れによる汚損の発生が軽減でき、折丁供給適性が良好になる。
【００２９】
【発明の効果】
本発明の製本機フィーダー装置は、折丁供給台に取り付けた供給補助板の傾斜面に沿って移動しながら前方下側に供給される折丁の急激な折れ曲がりが解消でき、斜め下方に引っ張られる際に供給される折丁に掛かる上層折丁群の荷重を傾斜面に沿って分散させることができ、供給時の折丁面と、供給補助板の傾斜面との境界面、及び上層折丁との境界面における滑り性が良好となり、折丁面が折丁供給台上を移動する際の擦れによる汚損の発生が軽減でき、折丁供給適性が良好になる効果がある。
【図面の簡単な説明】
【図１】（ａ）は本発明の製本機フィーダー装置の側面図、（ｂ）はその部分拡大側面図。
【図２】（ａ）〜（ｂ）は本発明の製本機フィーダー装置を取り付けた丁合手段の正面図。
【図３】本発明の製本機フィーダー装置を取り付けた丁合手段と綴じ手段と排出手段の部分正面図。
【図４】本発明の製本機フィーダー装置における供給補助板の構造を説明する概要側面図。
【図５】（ａ）は従来の製本機フィーダー装置の側面図、（ｂ）は従来の製本機フィーダー装置の部分拡大側面図。
【符号の説明】
１…折丁供給台  ５…受渡し胴  ６…咥爪  ７、８…対向回転体
９…ギャザリングチェーン  ９ａ…送り爪  １０…ブラケット（サドル）
１１…フィーダーアーム  １５…供給補助台  １５ａ…傾斜面
【図１】
0004341206.tif 000002
【図２】
0004341206.tif 000003
【図３】
0004341206.tif 000004
【図４】
0004341206.tif 000005
【図５】
0004341206.tif 000006